(57)【要約】      （修正有）【課題】簡単かつスピーディにカラーコーンに被せることができ、風などによって脱落しづらく、視認性がよく、耐候性の高いカラーコーン用標識カバーを提供する。【解決手段】カラーコーンのテーパ部に被せる筒状カバー体２と、この筒状カバー体２の外面に印刷された標識部３とを有しており、前記筒状カバー体２は、前記テーパ部５１の勾配と略同一勾配からなる円錐台形状に形成されているとともに、その上縁部２１および下縁部２２は、前記カラーコーンに被せたときに接する前記テーパ部の外周円と略同一曲率に形成されている。【選択図】図１
0003132271.tif 000002
【実用新案登録請求の範囲】
【請求項１】
カラーコーンのテーパ部に被せる筒状カバー体と、この筒状カバー体の外面に印刷された標識部とを有しており、
前記筒状カバー体は、前記テーパ部の勾配と略同一勾配からなる円錐台形状に形成されているとともに、その上縁部および下縁部は、前記カラーコーンに被せたときに接する前記テーパ部の外周円と略同一曲率に形成されていることを特徴とするカラーコーン用標識カバー。
【請求項２】
請求項１において、筒状カバー体の内面には、円錐台形状の母線に沿って接着部が設けられていることを特徴とするカラーコーン用標識カバー。
【請求項３】
請求項１または請求項２において、前記標識部は、印刷位置における外周円の曲率と略同一曲率を有する曲面状に形成されていることを特徴とするカラーコーン用標識カバー。
【請求項４】
請求項１から請求項３のいずれかにおいて、前記筒状カバー体は塩化ビニールを素材として形成されており、前記標識部はＵＶインクで印刷されていることを特徴とするカラーコーン用標識カバー。
【考案の詳細な説明】
【技術分野】
【０００１】
本考案は、カラーコーンに被せるカバーに関し、特に、標識が印刷されており、道路や駐車場などで標識として活用されるのに好適なカラーコーン用標識カバーに関するものである。
【背景技術】
【０００２】
従来、カラーコーンは車線規制や道路工事の際に進入を規制するなどの境界を表示するものとして使用されているが、そのカラーコーンに任意の文字や図柄を印刷したカバーを被せることにより道路標識や広告表示などとしても利用する提案がなされている。
【０００３】
例えば、実開平７−４５２０号公報には、セーフティーコーン化粧コートが提案されている（特許文献１）。このセーフティーコーン化粧コートは、コーン本体を展開したときの形状と相似的な扇形状をした化粧コートの両横縁端に面ファスナーやマグネットを取着し、両側端を重ね合わせて円錐状に形成し、従来のセーフティーコーン本体に積重または巻着するようになっている。これにより、化粧コートはセーフティーコーンから脱落しにくくなるため、長期にわたる使用に耐えられるとされている。
【０００４】
また、実用新案登録第３０８２７８１号公報には、「駐車禁止」などの表示が印刷された透明なプラスチックシートを、上面と下面とを開口させて円錐台状の筒体に形成したカラーコーン用の表示具が提案されている（特許文献２）。このカラーコーン用の表示具をカラーコーンに被せることにより、「駐車禁止」などの表示をカラーコーンに直接書いたり、別に標識を立てたりすることなく、カラーコーンに標識機能を持たせることができるとされている。
【０００５】
【特許文献１】実開平０７−００４５２０号公報
【特許文献２】登録実用新案第３０８２７８１号公報
【考案の開示】
【考案が解決しようとする課題】
【０００６】
しかしながら、特許文献１に記載の考案においては、マグネットにより止着させる場合、セーフティーコーン側にマグネットを付けるための鉄板などの部品を設ける必要があり、手間がかかるし、製造コストが増大してしまうという問題がある。また、両面テープにより止着させる場合、カラーコーンには巻き付けながら円錐状に形成すると記載されているが、位置合わせが難しい。つまり、止着位置が高すぎると化粧コートがたるんでしまい、印刷された標識が歪んで見えにくい。逆に、止着位置が低すぎると長さが足りずに円錐状に形成することができない。よって、止着の高さを決める作業は慎重に行わなければならず、工事現場等の急ぎの現場では極めて使いにくい。また、仮に化粧コートを円錐状に形成してから両面テープを使って積重させることも想定されるが、その場合、両面テープが途中でセーフティーコーンに付着しやすく、やはり慎重に被せなければならないことから作業効率が悪いという問題がある。
【０００７】
また、特許文献２に記載された考案においては、カラーコーンに被せるだけであって接着部がないため、風によって吹き飛ばされてしまう。また、「駐車禁止」などの文字や図柄の印刷形態については記載も示唆もないが、通常の印刷形態ではカラーコーンの曲面によって印刷面が歪んでしまい視認性が悪いという問題がある。
【０００８】
本考案は、このような問題点を解決するためになされたものであって、簡単かつスピーディにカラーコーンに被せることができ、風などによって脱落しづらく、視認性がよく、耐候性の高いカラーコーン用標識カバーを提供することを目的としている。
【課題を解決するための手段】
【０００９】
本考案に係るカラーコーン用標識カバーの特徴は、カラーコーンのテーパ部に被せる筒状カバー体と、この筒状カバー体の外面に印刷された標識部とを有しており、前記筒状カバー体は、前記テーパ部の勾配と略同一勾配からなる円錐台形状に形成されているとともに、その上縁部および下縁部は、前記カラーコーンに被せたときに接する前記テーパ部の外周円と略同一曲率に形成されている点にある。
【００１０】
また、本考案において、筒状カバー体の内面には、円錐台形状の母線に沿って接着部が設けられていることが好ましい。
【００１１】
さらに、本考案において、前記標識部は、印刷位置における外周円の曲率と略同一曲率を有する曲面状に形成されていることが好ましい。
【００１２】
さらにまた、本考案において、前記筒状カバー体は塩化ビニールを素材として形成されており、前記標識部はＵＶインクで印刷されていることが好ましい。
【考案の効果】
【００１３】
本考案によれば、簡単かつスピーディにカラーコーンに被せることができ、風などによって脱落しづらく、視認性がよく、耐候性の高いカラーコーン用標識カバーを提供することができる。
【考案を実施するための最良の形態】
【００１４】
以下、本考案に係るカラーコーン用標識カバーの実施形態について図面を用いて説明する。
【００１５】
図１は本考案に係るカラーコーン用標識カバーの実施形態を示す斜視図であり、図２はカラーコーンに被せたときの本実施形態を示す斜視図である。
【００１６】
図１および図２に示すように、本考案に係るカラーコーン用標識カバー１は、カラーコーン５のテーパ部５１に被せる筒状カバー体２と、この筒状カバー体２の外面に道路標識の図柄や文字などが印刷された標識部３とを有している。
【００１７】
前記筒状カバー体２は、材料や色を種々変更可能であるが、例えば材料として風雨や日光、気温の寒暖などによる変質・変形の少ない塩化ビニールなどの化学合成樹脂シートが好ましい。また、色は印刷される標識や文字の視認性をよくするために白色がよい。形状はカラーコーン５のテーパ部５１の勾配と略同一勾配からなる円錐台形状に形成されている。また、筒状カバー体２の上端部２１および下端部２２は、カラーコーン５に被せたときに接するテーパ部５１の外周円と略同一曲率に形成されている。これにより、筒状カバー体２をカラーコーン５に被せたときに撓みなく、大きな隙間も生じない。
【００１８】
また、筒状カバー体２の内面には、カラーコーン５からの脱落を防止するため、円錐台形状の母線２３に沿って対向する位置に２本の接着部４が設けられている。この接着部４には両面テープが貼り付けられており、被せたときに筒状カバー体２がカラーコーン５の外面に接着する。接着部は、母線２３に沿っていれば点線上に複数箇所設けても良い。
【００１９】
さらに、筒状カバー体２は接着部４を境にして略台形シート状に折りたたむことができる。折りたたむことにより輸送を容易にするとともに、本実施形態をカラーコーンに被せる作業の途中で接着部４とカラーコーン５が付着するのを防止することができる。
【００２０】
標識部３は、風雨や日光、気温の寒暖などによる変質・変形の少ないＵＶインクを使って標識の図柄や文字が印刷されている。前記標識部３は、カラーコーン用標識カバー１をカラーコーン５に被せたときに歪まないようにするため、印刷位置における外周円の曲率と略同一曲率を有する曲面状に沿って印刷される。すなわち、図柄や文字は下側に凸状となるように湾曲され、上方よりも下方が幅広く形成されている。
【００２１】
つぎに、本実施形態のカラーコーン用標識カバー１の作用について図３および図４を用いて説明する。図３は正面から見たときの実施手順を示す図であり、図４はその右側面方向から見たときの実施手順を示す図である。
【００２２】
本実施形態のカラーコーン用標識カバー１をカラーコーン５に被せる場合、まず、略台形シート状に折りたたまれている筒状カバー体２を軽く開き、接着部４の両面テープの接着面を保護している保護テープを剥がす。つぎに、図３および図４で示すように、カラーコーン５の上方から被せて所定の位置まで下ろす。筒状カバー体２はカラーコーン５のテーパ部５１の勾配と同一勾配の円錐台形状に拡げられ、筒状カバー２の上端部２１および下端部２２の円周長さはカラーコーン５の外周円の円周と略同一になる。そのため、カラーコーン用標識カバー１はカラーコーン５に隙間なく被せることができる。また、接着部４は途中でカラーコーン５にほとんど接しないため、意図せず途中で付着してしまうこともない。
【００２３】
カラーコーン用標識カバー１を所定の位置まで下ろした後に接着部４を外側から軽く押さえることにより、カラーコーン５に接着し、転倒や風雨にさらされても容易に脱落しない。また、塩化ビニールを素材としているため、変質・変形が少なく、長期間使用することができる。さらに、筒状カバー体２を接着することによりカラーコーンたの強度が増し、カラーコーン５が車両接触などの強い衝撃を受けたときの破損や破壊を防ぐ効果も得られる。
【００２４】
また、外周円の曲率と略同一曲率の曲線に沿って印刷された図柄や文字は、横幅が縮小され、通常の平面に印刷された標識と略同一形状に見えるため視認範囲が広くて注意喚起に好適である。また、筒状カバー体２が白色のためさらに視認性をよくする。さらに、ＵＶインクを使用しているので、変質・変形が少なく、印刷が薄れたり、消えたりすることを防止する。
【実施例】
【００２５】
発明者は、本実施形態の接着部４の形成位置について検討し、実験を行った。試作品は、図５（ａ）〜（ｃ）に示すように、接着部４を上下端部２１，２２に形成したもの、斜めに形成したもの、母線２３に沿って形成したものである。そして、各カラーコーン用標識カバー１を５個ずつ準備し、作業員にカラーコーン５へ速やかに被せるよう指示した。その結果、（ａ）および（ｂ）に示す位置に接着部４を形成したカラーコーン用標識カバー１は、１つ２つはうまく被せられるが、３つめを被せる際には途中で接着部４がカラーコーン５の外周面に付着してしまい、うまく被せられなかった。一方、（ｃ）に示す本実施形態の接着部４の場合、５つすべてが途中で接着することなく速やかに被せられた。
【００２６】
よって作業効率を考えると、接着部４は円錐台形状の母線２３に沿って形成することが好ましい。さらに図５（ａ）のように上端部２１や下端部２２に接着部４を形成すると、雨水等がうまく排出できないという問題がある。
【００２７】
以上のような本実施形態によると、
１．カラーコーン用標識カバー１を簡単かつ速やかに被せることができるため、高齢者であっても作業ができる。
２．転倒や風が吹いても脱落しにくく安定する。
３．標識の視認範囲が広く見やすい。
４．カラーコーン５が補強されるとともに、変質・変形が少ないため長期間使用できる等の効果を奏することができる。
【００２８】
なお、本考案に係るカラーコーン用標識カバーは、前述した実施形態に限定されるものではなく、適宜変更することができる。
【００２９】
例えば、実施形態の接着部４は１本でもよい。また、印刷インクに蛍光塗料を用いて、夜間の視認性をよくしてもよい。
【図面の簡単な説明】
【００３０】
【図１】本考案に係るカラーコーン用標識カバーの実施形態を示す斜視図である。
【図２】カラーコーンに本実施形態を被せたときの斜視図である。
【図３】正面から見たときの実施手順を示す図である。
【図４】右側面方向から見たときの実施手順を示す図である。
【図５】接着部４を筒状カバー体の内面の（ａ）上下端部に形成したもの、（ｂ）斜めに形成したもの、（ｃ）母線２３に沿って形成したものを示す斜視図である。
【符号の説明】
【００３１】
１  カラーコーン用標識カバー
２  筒状カバー体
３  標識部
４  接着部
５  カラーコーン
２１  上端部
２２  下端部
２３  母線
５１  テーパ部
【図１】
0003132271.tif 000003
【図２】
0003132271.tif 000004
【図３】
0003132271.tif 000005
【図４】
0003132271.tif 000006
【図５】
0003132271.tif 000007
【手続補正書】
【提出日】平成19年3月19日(2007.3.19)
【手続補正１】
【補正対象書類名】実用新案登録請求の範囲
【補正対象項目名】請求項１
【補正方法】変更
【補正の内容】
【請求項１】
カラーコーン（登録商標）のテーパ部に被せる筒状カバー体と、この筒状カバー体の外面に印刷された標識部とを有しており、
前記筒状カバー体は、前記テーパ部の勾配と略同一勾配からなる円錐台形状に形成されているとともに、その上縁部および下縁部は、前記カラーコーンに被せたときに接する前記テーパ部の外周円と略同一曲率に形成されていることを特徴とするカラーコーン用標識カバー。
【手続補正２】
【補正対象書類名】明細書
【補正対象項目名】０００１
【補正方法】変更
【補正の内容】
【０００１】
本考案は、カラーコーン（登録商標）に被せるカバーに関し、特に、標識が印刷されており、道路や駐車場などで標識として活用されるのに好適なカラーコーン用標識カバーに関するものである。